(57)【要約】【課題】拡張用モジュールを利用して、良好にＢｌｕ−ｒａｙディスクに記録されたコンテンツの再生を可能とした車載装置及び車載システムを提供することを目的とする。【解決手段】接続のためのコネクタ（２０１)を有し、且つ車載装置の機能を拡張する拡張用モジュール（２００）と接続するためのスロット(１３０、１４０)と、記録媒体に記録されているコンテンツの再生を補助する補助データ再生部（９０）と、スロットと接続された拡張用モジュールから供給される記録媒体に記録されているコンテンツの再生を補助する補助データを利用する制御部（１０１）を有することを特徴とする車載装置(１００)、及びそのような車載装置を含む車載システム（１）。【選択図】図１
2010036628.tif 000002
【特許請求の範囲】
【請求項１】
接続のためのコネクタを有し、且つ車載装置の機能を拡張する拡張用モジュールと接続するためのスロットと、
コンテンツの記録された記録媒体を再生する記録媒体再生部と、
前記スロットと接続された拡張用モジュールから供給される記録媒体に記録されているコンテンツの再生を補助する補助データを利用する制御部と、
を有することを特徴とする車載装置。
【請求項２】
前記制御部は、拡張用モジュールが有する拡張ストレージに記録された前記補助データを記録媒体の再生の際に利用する、請求項１に記載の車載装置。
【請求項３】
前記制御部は、拡張用モジュールが有する送受信部により受信された前記補助データを記録媒体の再生の際に利用する、請求項１に記載の車載装置。
【請求項４】
前記制御部は、拡張用モジュールが有する送受信部により受信された前記補助データ、及び拡張用モジュールが有する拡張ストレージに記録された前記補助データを、記録媒体の再生の際に利用する、請求項１に記載の車載装置。
【請求項５】
前記制御部は、拡張用モジュールに対して着脱可能な補助記録媒体に記録された前記補助データを記録媒体の再生の際に利用する、請求項１に記載の車載装置。
【請求項６】
記録媒体に記録されているコンテンツの再生を補助する補助データの供給が可能な拡張用モジュールが前記スロットに接続されているか否かを検出する検出部を更に有する、請求項１に記載の車載装置。
【請求項７】
記録媒体に記録されているコンテンツの再生を補助する補助データを記録するローカルストレージを更に有し、
前記制御部は、前記補助データが前記ローカルストレージに記録できない場合には、拡張用モジュールが有する拡張ストレージに前記補助データを記録する、請求項１に記載の車載装置。
【請求項８】
記録媒体に記録されているコンテンツの再生を補助する補助データを記録するローカルストレージを更に有し、
前記制御部は、拡張用モジュールが有する送受信部により受信された前記補助データが前記ローカルストレージに記録できない場合には、拡張用モジュールが有する拡張ストレージに前記補助データを記録する、請求項１に記載の車載装置。
【請求項９】
記録媒体に記録されているコンテンツの再生を補助する補助データを記録するローカルストレージを更に有し、
前記制御部は、前記補助データが前記ローカルストレージに記録できる場合には、前記補助データを拡張用モジュールが有する拡張ストレージから前記ローカルストレージに転送する、請求項１に記載の車載装置。
【請求項１０】
記録媒体に記録されているコンテンツの再生を補助する補助データを記録するローカルストレージを更に有し、
前記制御部は、前記補助データが前記ローカルストレージに記録できる場合には、前記補助データを拡張用モジュールに対して着脱可能な補助記録媒体から前記ローカルストレージに転送する、請求項１に記載の車載装置。
【請求項１１】
記録媒体に記録されているコンテンツの再生を補助する補助データを記録するローカルストレージを更に有し、
前記制御部は、拡張用モジュールが有する送受信部により受信された前記補助データが前記ローカルストレージに記録できる場合には、前記補助データを前記ローカルストレージに記録する、請求項１に記載の車載装置。
【請求項１２】
拡張用モジュールを排出するための排出指示部を更に有し、
前記制御部は、前記補助データを供給している拡張用モジュールが前記排出指示部によって排出指示された拡張用モジュールである場合には、警告動作を行う、請求項１に記載の車載装置。
【請求項１３】
記録媒体に記録されているコンテンツの再生を補助する補助データを記録するローカルストレージを更に有し、
前記制御部は、前記排出指示部によって排出指示された拡張用モジュールに前記補助データが記録されている場合には、前記補助データを前記ローカルストレージに転送する、請求項１２に記載の車載装置。
【請求項１４】
接続のためのコネクタを有し、記録媒体に記録されているコンテンツの再生を補助する補助データの供給が可能な拡張用モジュールと、
前記拡張用モジュールと接続するためのスロット、記録媒体に記録されているコンテンツの再生を補助する補助データ再生部、及び前記拡張用モジュールから供給される補助データを利用する制御部を含む車載装置と、
を有することを特徴とする車載システム。
【発明の詳細な説明】
【技術分野】
【０００１】
本発明は、Ｂｌｕ−ｒａｙディスクに記録されているコンテンツを再生し且つ拡張用モジュールを接続することが可能な車載装置及びそのような車載装置を含む車載システムに関するものである。
【背景技術】
【０００２】
付随するローカルストレージ内に記録されている光ディスクのコンテンツを補助する補助データと光ディスクプレーヤで再生される光ディスクのコンテンツとを関連付けながら、光ディスクの再生を行う光ディスクプレーヤが知られている（例えば、特許文献１参照）。
【０００３】
Ｂｌｕ−ｒａｙディスク用のプレーヤの規格の１つとして、「ＢＤ−Ｌｉｖｅ（Blu-ray Disc Live)」と呼ばれるプロファイルが標準化されている。この規格では、ローカルストレージを有しネットワーク機能に対応するドライブと、ネットワークに接続するために無線通信装置を利用する。無線通信装置を利用してネットワークに接続して、ドライブで再生するＢｌｕ−ｒａｙディスクのコンテンツに対応した補助データをダウンロードしてローカルストレージに記録し、ドライブではダウンロードした補助データを利用しながらＢｌｕ−ｒａｙディスクのコンテンツを再生する。
【０００４】
ダウンロードされる補助データとしては、映画の予告編の映像、特典映像、追加言語対応、特典映像を見るためにパスワード等がある。例えば、ＢＤ−Ｌｉｖｅを利用すれば、Ｂｌｕ−ｒａｙディスク発売当初には日本語に対応していない場合でも、後からダウンロードした補助データを利用して、日本語吹き替えで、映画の視聴を行うことが可能となる。また、ＢＤ−Ｌｉｖｅを利用すれば、Ｂｌｕ−ｒａｙディスクに記録された映画の歴史的背景に関する補助データを後からダウンロードして、映画を視聴しながら確認すること等ができる。ローカルストレージは、数百ＭＢから数ＧＢの容量を有する場合が一般的で、フラッシュメモリ、ＳＤメモリカード、ハードディスク等によって構成される。
【０００５】
しかしながら、再生するＢｌｕ−ｒａｙディスクの種類が多くなれば、各Ｂｌｕ−ｒａｙディスクに関連するＢＤ−Ｌｉｖｅに利用する補助データも多くなり、ローカルストレージの容量を超えてしまうという不具合があった。また、Ｂｌｕ−ｒａｙディスクの利用毎に、補助データをダウンロードしたのでは、ダウンロード時間がその度に必要となるという不具合もあった。
【０００６】
【特許文献１】特開２００５−１５９５８９号公報（第１１頁）
【発明の開示】
【発明が解決しようとする課題】
【０００７】
そこで、本発明は、拡張用モジュールを利用して、良好にＢｌｕ−ｒａｙディスクに記録されたコンテンツの再生を可能とした車載装置及び車載システムを提供することを目的とする。
【０００８】
また、本発明では、拡張用モジュールを利用して、ＢＤ−Ｌｉｖｅに利用する補助データを効率良く利用することを可能とした車載装置及び車載システムを提供することを目的とする。
【課題を解決するための手段】
【０００９】
本発明に係る車載装置では、接続のためのコネクタを有し、且つ車載装置の機能を拡張する拡張用モジュールと接続するためのスロットと、記録媒体に記録されているコンテンツの再生を補助する補助データ再生部と、スロットと接続された拡張用モジュールから供給される記録媒体に記録されているコンテンツの再生を補助する補助データを利用する制御部を有することを特徴とする。
【００１０】
本発明に係る車載システムでは、接続のためのコネクタを有し且つ記録媒体に記録されているコンテンツの再生を補助する補助データの供給が可能な拡張用モジュールと、
拡張用モジュールと接続するためのスロット、記録媒体に記録されているコンテンツの再生を補助する補助データ再生部、及び前記拡張用モジュールから供給される補助データを利用する制御部を含む車載装置と、を有することを特徴とする。
【発明の効果】
【００１１】
本発明に係る車載装置及び車載システムでは、複数の拡張用モジュールによって追加される機能を組み合わせて車載装置に多様性を発揮させることが可能となった。
【００１２】
また、本発明に係る車載装置及び車載システムでは、ＢＤ−Ｌｉｖｅに利用される補助データを拡張用モジュールから供給することが可能となった。
【００１３】
さらに、本発明に係る車載装置及び車載システムでは、ＢＤ−Ｌｉｖｅに利用される補助データを供給している拡張用モジュールを排出しようとする場合には、警告動作又はＢＤ−Ｌｉｖｅに利用される補助データをローカルストレージに転送することによって、ＢＤ−Ｌｉｖｅを継続して利用することが可能となった。
【００１４】
さらに、本発明に係る車載装置及び車載システムでは、Ｂｌｕ−ｒａｙディスクの利用に関して、更にユーザの好みや必要性に応じた機能の組み合わせを追加でき、カスタマイズ性を増加させることが可能となった。
【発明を実施するための最良の形態】
【００１５】
以下図面を参照して、本発明に係る車載装置及び車載システムについて説明する。但し、本発明の技術的範囲はそれらの実施の形態に限定されず、特許請求の範囲に記載された発明とその均等物に及ぶ点に留意されたい。
【００１６】
図１は、本発明に係る車載システム１の概略構成を示す図である。
【００１７】
車載システム１は、車載装置１００、車載装置１００に装着可能な複数の拡張用モジュール、車載装置１００に接続された、表示部制御用の表示部マイコン１１を含み液晶ディスプレイ及び操作部として機能するタッチパネル等から構成される表示部１０、車両（不図示）の周囲（例えば、ドライバの死角となり易い後方）を撮影して表示部１０に表示するためのＣＣＤ撮像素子等から構成されるカメラ２０、車両に備えられたエンジン始動用のキーシリンダと電気的に一体に構成されているアクセサリスイッチ（ＡＣＣスイッチ）３０、バッテリ４０、車両のフロント及び／又はリアガラスに配置されるデジタルテレビ（ＤＴＶ）用のアンテナ５０及びＡＭ／ＦＭ用のアンテナ６０、車両の現在位置を計測するためのＧＰＳシステム用のアンテナ７０、車両の各部に配置された複数又は単数のスピーカ８０、及びローカルストレージ９１を含み記録媒体であるＢｌｕ−ｒａｙディスクに記録されているコンテンツを再生可能なドライブ（記録媒体再生部）９０（ＣＤ及びＤＶＤの光ディスクも再生も可）等から構成されている。なお、ローカルストレージ９１は、フラッシュメモリで構成され、数ＧＢの容量を持つものとする。
【００１８】
車載装置１００は、メインマイコン等から構成される制御部１０１、ＲＡＭ１０２、ＲＯＭ１０３、電源用マイコン１０４、車載装置１００内の各要素及び各拡張用モジュールへ電力を供給し、過電流及び／又は過電圧保護を行うレギュレータ１０５、各拡張用モジュール等との間の信号のやり取りを制御する分配回路１１０、映像信号及び／又は音声信号の処理を行うデジタル信号処理部（ＤＳＰ）１２０、ＡＭ／ＦＭ放送を受信するためのチューナモジュール１２１、スピーカ８０への音声信号を増幅するためのアンプ１２２、第１の拡張用モジュールと接続するための第１スロット１３０、及び第２の拡張用モジュールと接続するための第２スロット１４０等から構成されている。
【００１９】
なお、車載装置１００は、表示部１０、カメラ２０、及びＢｌｕ−ｒａｙディスク再生用ドライブ９０の何れか１つ又は複数と一体的に構成されても良い。また、図１において、車載装置１００に内蔵されているＡＭ／ＦＭ用チューナモジュール１２１は、車載装置１００の外部に、例えばＢｌｕ−ｒａｙディスク再生用ドライブ９０と同様に別体として構成されても良いし、拡張用モジュールの一つとして構成されても良い。
【００２０】
図１には、Ｂｌｕ−ｒａｙディスク再生用ドライブ９０と関連して利用できる第１拡張用モジュール２００、第２拡張用モジュール３００及び第３拡張用モジュール４００の３種類のモジュールが記載されている。第１拡張用モジュール２００〜第３拡張用モジュール４００の何れか一つが第１スロット１３０又は第２スロット１４０の何れかに挿入されて、Ｂｌｕ−ｒａｙディスク再生用ドライブ９０におけるＢｌｕ−ｒａｙディスクに記録されているコンテンツの再生時に利用することができる。各拡張用モジュールの具体的な利用形態については後述する。
【００２１】
第１拡張用モジュール２００は、拡張ストレージのみを有するＢｌｕ−ｒａｙディスク用モジュールであって、第１コネクタ２０１、ハードディスクから構成され４０ＧＢの容量を有する拡張ストレージ２０２、モジュールＩＤ（ＭＩＤ）を記録した第１ＭＩＤ出力回路２０３等から構成される。なお、拡張ストレージ２０２の構成及び容量は一例であって、Ｂｌｕ−ｒａｙディスクのコンテンツに関連し、コンテンツの再生を補助する補助データを記録するものであれば、他の記録媒体によって構成されていても、他の容量を有していても良い。
【００２２】
第１拡張用モジュール２００を利用すれば、Ｂｌｕ−ｒａｙディスクのコンテンツに関連する補助データを、ローカルストレージ９１だけではなく、拡張ストレージ２０２にも記録することが可能となる。
【００２３】
第２拡張用モジュール３００は、無線機能及び拡張ストレージを有するＢｌｕ−ｒａｙディスク用モジュールであって、第２コネクタ３０１、送受信モジュール３０２、平面アンテナ３０３、ハードディスクから構成され４０ＧＢの容量を有する拡張ストレージ３０４、モジュールＩＤ（ＭＩＤ）を記録した第２ＭＩＤ出力回路３０５等から構成される。送受信モジュール３０２は、車載用の通信規格であるＤＣＭ（Data Communication Module）又は無線通信規格であるＷｉＭＡＸ（Worldwide Interoperability for Microwave Access）に基づくモジュールである。また、拡張ストレージ３０４の構成及び容量は一例であって、Ｂｌｕ−ｒａｙディスクのコンテンツに関連するダウンロード補助データを記録するものであれば、他の記録媒体によって構成されていても、他の容量を有していても良い。
【００２４】
第２拡張用モジュール３００を利用すれば、送受信モジュール３０２が無線通信回線網を利用してインターネット上の所定のＢＤ−Ｌｉｖｅに対応したＷＥＤサイトにアクセスし、再生するＢｌｕ−ｒａｙディスクのコンテンツに関連し、コンテンツの再生を補助する補助データをダウンロードすることが可能となる。さらに、第２拡張用モジュール３００を利用すれば、Ｂｌｕ−ｒａｙディスクのコンテンツに関連し、コンテンツの再生を補助する補助データを、ローカルストレージ９１だけではなく、拡張ストレージ３０４にも記録することが可能となる。
【００２５】
第３拡張用モジュール４００は、無線機能を有するＢｌｕ−ｒａｙディスク用モジュールであって、第３コネクタ４０１、送受信モジュール４０２、平面アンテナ４０３、モジュールＩＤ（ＭＩＤ）を記録した第３ＭＩＤ出力回路４０４等から構成される。送受信モジュール４０２は、車載用の通信規格であるＤＣＭ又は無線通信規格であるＷｉＭＡＸに基づくモジュールである。
【００２６】
第３拡張用モジュール４００を利用すれば、送受信モジュール４０２が無線通信回線網を利用してインターネット上の所定のＢＤ−Ｌｉｖｅに対応したＷＥＤサイトにアクセスし、再生するＢｌｕ−ｒａｙディスクのコンテンツに関連し、コンテンツの再生を補助する補助データをダウンロードすることが可能となる。
【００２７】
図２は、他の拡張用モジュールの概略構成を図である。
【００２８】
図２（ａ）は、１セグ用のＤＴＶ用の第４拡張用モジュール５００を示している。第４拡張用モジュール４００は、第４コネクタ５０１、ＤＴＶ用のチューナモジュール５０２、及びモジュールＩＤ（ＭＩＤ）を記録した第４ＭＩＤ出力回路５０３等から構成される。第４拡張用モジュール５００を利用すれば、１セグ用のＤＴＶ放送を、視聴することが可能となる。
【００２９】
図２（ｂ）は、ナビゲーション用の第５拡張用モジュール６００を示している。第５拡張用モジュール６００は、第５コネクタ６０１、車両の現在位置を測定するためのＧＰＳ用モジュール６０２、ナビゲーション用の地図情報等が記録されたＳＤメモリカード等から構成される外部記録装置と接続するための外部接続コネクタ６０３、車両の進行方向等を確認するためのジャイロモジュール６０４、ＭＩＤを記録した第５ＭＩＤ出力回路６０５等から構成される。第５拡張用モジュール６００を利用すれば、車両の現在位置を確認しながら、地図情報を利用したナビゲーション表示を表示装置１０において行うことができる。
【００３０】
図２（ｃ）は、Ｂｌｕｅｔｏｏｔｈ（登録商標）用の第６拡張用モジュールを示す図である。第６拡張用モジュール７００は、第６コネクタ７０１、Ｂｌｕｅｔｏｏｔｈ（登録商標）用無線信号受信モジュール７０２、ＭＩＤを記録した第６ＭＩＤ出力回路７０３等から構成される。受信モジュール７０２は、Ｂｌｕｅｔｏｏｔｈ（登録商標）規格に応じた無線信号を受信して、受信信号を出力できるように構成されている。したがって、第６拡張用モジュール７００を利用すれば、例えば、Ｂｌｕｅｔｏｏｔｈ（登録商標）対応の携帯電話からの音楽情報を、第６拡張用モジュール７００を装着した車載装置１００において再生することが可能となる。
【００３１】
図２（ｄ）は、ＵＳＢ  Ｉ／Ｆ用の第７拡張用モジュール８００を示す図である。第７拡張用モジュール８００は、第７コネクタ８０１、制御用マイコン８０２、ＲＡＭ８０３、ＵＳＢスロット８０４、ＵＳＢスロット８０４を介して出力する電力を供給し、供給する電流及び電圧の過電流及び過電圧の監視を行うレギュレータ８０５、ＭＩＤを記録した第７ＭＩＤ出力回路８０６等から構成される。第７拡張用モジュール８００を利用すれば、例えば、他のネットワークと接続されたＰＣ（パーソナル・コンピュータ）でＢＤ−Ｌｉｖｅに対応したＷＥＤサイトにアクセスして、ダウンロードした補助データを記録した、補助記録媒体であるＵＳＢメモリから、補助データをローカルストレージ９１又は第１拡張用モジュールの拡張ストレージ２０２に記録することが可能となる。なお、ＢＤ−Ｌｉｖｅで利用する補助データを一時記録する補助記録媒体は、ＵＳＢメモリに限定されず、他の記録媒体を利用するようにしても良い。
【００３２】
図１及び図２において、車載装置１００に装着可能な第１拡張用モジュール２００〜第７拡張用モジュール８００について説明したが、車載装置１００に装着可能な拡張用モジュールはこれらに限定されるものではない。例えば、第１拡張用モジュール２００をより高性能化して、フルセグ（１２セグ）のＤＴＶ放送と１セグのＤＴＶ放送とを放送状態に応じて切り換えて表示することができるＤＴＶ用モジュール、米国における地上波デジタル音声放送であるＩＢＯＣ（In Band on Channel）方式のハイブリッドＨＤ（High Definition）ラジオ放送搬送波を受信するためのＩＢＯＣ用モジュール等を利用することも可能である。
【００３３】
図３は、車載装置１００の外観の一例を示す図である。図３（ａ）は車載装置１００のフロントパネルの外観の一例を示し、図３（ｂ）は車載装置１００の枠体１５０の側面からの外観を示す図である。
【００３４】
図３（ａ）及び（ｂ）に示す様に、車載装置１００のフロンパネルには、表示部１０、Ｂｌｕ−ｒａｙディスク（又はＣＤ／ＤＶＤ）挿入用のスロット１２、各種操作ボタン１３が配置されており、モジュールを装着するための第１スロット１３０及び第２スロット１４０は、表示部１０の下方に、並んで配置されている。なお、図２（ａ）では、第１拡張用モジュール２００及び第７拡張用モジュール８００が、それぞれ第１スロット１３０及び第２スロット１４０に装着された状態を示している。
【００３５】
一旦装着された拡張用モジュールは、第１排出ボタン１３１及び第２排出ボタン１４１によって、それぞれのスロットから排出される。各拡張用モジュールは、図３（ｂ）に示す矢印Ａ方向に（フロンパネルに対して垂直方向に）挿排出される。なお、各拡張用モジュールの排出は、各スロットに内蔵された各排出駆動機構（不図示）によって行われる。第１排出ボタン１３１及び第２排出ボタン１４１が押圧されると、それぞれのボタンから制御信号が制御部１０１へ送出され、排出可能と制御部１０１が判断した場合には、制御信号が対象のスロットに内蔵される排出駆動機構へ送出されて、対象のスロットに挿入されていた拡張用モジュールが排出されることとなる。拡張用モジュールの具体的な排出制御フローについては後述する。
【００３６】
図４は、スロットと拡張用モジュールの関係を示す図である。
【００３７】
第１拡張用モジュール２００を例にすると、第１拡張用モジュール２００は、車載装置１００内に配置された第１スロット１３０のガイドレール１３２に沿って挿入され、第１スロット１３０の図中左側奥に配置される接続ピン（不図示）と第１コネクタ２０１が接合するようにして接続される。
【００３８】
また、第１排出ボタン１３１が押圧されると、不図示の排出駆動機構によって第１スロット１３０の接続ピンと第１コネクタとの接合が解除され、第１拡張用モジュール２００は、ガイドレール１３２に沿って排出可能な状態となる。なお、第２スロット１４０についても同様であるので、説明を省略する。また、第１スロット１３０及び第２スロット１４０には、全ての拡張用モジュールが装着できる様に、接続方式が統一されている。
【００３９】
以下、Ｂｌｕ−ｒａｙディスク再生用ドライブ９０が利用される場合の車載システム１の処理フローについて説明する。
【００４０】
車載システム１では、各拡張用モジュールが第１スロット１３０及び／又は第２スロット１４０に挿入された場合には、制御部１０１は、各拡張用モジュールのＭＩＤ出力回路から各モジュールのＭＩＤを受信し、現在どのような拡張用モジュールがスロットに挿入されて利用可能な状態であるかをＲＡＭ１０２上の管理テーブルを利用して常に把握している。また、制御部１０１は、各スロットの排出ボタン１３１及び１４１が押圧されて排出された場合には、ＲＡＭ１０２上の管理テーブルから該当拡張用モジュールを削除するように動作し、常に利用可能な拡張用モジュールがどのようなものであるかを把握できるように制御している。
【００４１】
Ｂｌｕ−ｒａｙディスク再生用ドライブ９０が利用される場合として、（１）Ｂｌｕ−ｒａｙディスク関連の拡張用モジュールが第１スロット１３０及び第２スロット１４０の何れにも挿入されていない場合、（２）第１拡張用モジュール２００が第１スロット１３０又は第２スロット１４０の何れかに挿入されている場合、（３）第２拡張用モジュール３００が第１スロット１３０又は第２スロット１４０の何れかに挿入されている場合、（４）第３拡張用モジュール４００が第１スロット１３０又は第２スロット１４０の何れかに挿入されている場合、の４通りが考えられるので、それぞれの場合について説明する。
【００４２】
図５は、Ｂｌｕ−ｒａｙディスク関連の拡張用モジュールが第１スロット１３０及び第２スロット１４０の何れにも挿入されていない場合における、車載システムの処理フローの一例を示した図である。
【００４３】
図５に示す処理フローは、主に制御部１０１がＲＯＭ１０３に予め記録されたプログラムに従って、車載システム１に含まれる各モジュール及び／又は要素を協働して実行する。また、図５に示す処理フローが開始される時点で、車載装置１００を含む車載システム１の各モジュール又は要素には、電源が供給され、動作が可能な状況になっているものとする。
【００４４】
最初に、制御部１０１は、ＲＯＭ１０３に構築されているモジュール管理データを用いて、現在、どのような拡張用モジュールが挿入されているかの確認を行う（Ｓ１０）。
【００４５】
次に、制御部１０１は、第７拡張用モジュール８００（ＵＳＢ  Ｉ／Ｆモジュール）がスロットに挿入され、補助記録媒体であるＵＳＢメモリ（不図示）が第７拡張用モジュール８００のＵＳＢスロット８０４に挿入されているかの判断を行う（Ｓ１１）。ＵＳＢメモリが第７拡張用モジュール８００のＵＳＢスロット８０４に挿入されているか否かは、第７拡張用モジュール８００のマイコン８０２からの制御信号を制御部１０１側で解析することにより行う。
【００４６】
Ｂｌｕ−ｒａｙディスク関連の拡張用モジュールが第１スロット１３０及び第２スロット１４０の何れにも挿入されていない場合には、インターネットにアクセスする手段が無いので、ＢＤ−Ｌｉｖｅに対応したＷＥＤサイトにアクセスして、補助データをダウンロードすることができない。しかしながら、他のインターネットにアクセス可能なＰＣ等によって、事前にＢＤ−Ｌｉｖｅに対応したＷＥＤサイトにアクセスして、再生するＢｌｕ−ｒａｙディスクのコンテンツに対応した補助データをダウンロードし、ＵＳＢメモリに記録することは可能である。そこで、第７拡張用モジュール８００（ＵＳＢ  Ｉ／Ｆモジュール）を利用してＵＳＢメモリからローカルストレージ９１に補助データを転送できるか否かの確認を行うこととした。
【００４７】
Ｓ１１において、ＵＳＢメモリが第７拡張用モジュール８００に挿入されていると判断された場合、制御部１０１は、次に、再生するＢｌｕ−ｒａｙディスクに対応した転送すべき補助データのデータ量を検出する（Ｓ１２）。
【００４８】
次に、制御部１０１は、ローカルストレージ９１の記録可能な容量を検出し（Ｓ１３）、転送すべき補助データをローカルストレージに記録可能か否かの判断を行う（Ｓ１４）。
【００４９】
Ｓ１４において、転送すべき補助データをローカルストレージに記録するための十分な容量が残っている場合には、ＵＳＢメモリ内の補助データをローカルストレージ９１へ転送して記録し（Ｓ１５）、その補助データを利用してＢＤ−Ｌｉｖｅに対応したＢｌｕ−ｒａｙディスクのコンテンツの再生を行う（Ｓ１６）。
【００５０】
Ｓ１１において、第７拡張用モジュール８００がスロットに挿入されていない場合、ＵＳＢメモリが第７拡張用モジュール８００に挿入されていない場合、ＵＳＢメモリに再生するＢｌｕ−ｒａｙディスクに対応した補助データが記録されていない場合、又はＳ１４において、ローカルストレージ９１に補助データを記録するだけの記録容量が残っていない場合には、警告動作を行って(Ｓ１７)、ＢＤ−Ｌｉｖｅに対応しない、通常のＢｌｕ−ｒａｙディスクのコンテンツの再生を行う（Ｓ１６）。
【００５１】
警告動作とは、ＢＤ−Ｌｉｖｅに対応しない、通常のＢｌｕ−ｒａｙディスクのコンテンツの再生を行う旨を表示部１０及び／又はスピーカ８０に表示及び／又は音声出力を行うことを言う。なお、ＢＤ−Ｌｉｖｅを行うための警告動作として、第７拡張用モジュール８００をスロットに挿入する事、第７拡張用モジュール８００に所定のデータが記録されたＵＳＢメモリを挿入する事、後述する無線通信機能を有する他の拡張用モジュール（第２拡張用モジュール３００又は第３拡張用モジュール４００）の挿入を促す表示及び／又は音声出力を行うようにしても良い。
【００５２】
このように、図５に示す処理フローでは、所定のデータを記録したＵＳＢメモリ及び第７拡張用モジュール８００を利用して、ＢＤ−Ｌｉｖｅに対応したＢｌｕ−ｒａｙディスクのコンテンツの再生を行うことが可能となった。
【００５３】
図６は、第１拡張用モジュール２００が第１スロット１３０又は第２スロット１４０の何れに挿入されている場合における、車載システムの処理フローの一例を示した図である。
【００５４】
図６に示す処理フローは、主に制御部１０１がＲＯＭ１０３に予め記録されたプログラムに従って、車載システム１に含まれる各モジュール及び／又は要素を協働して実行する。また、図６に示す処理フローが開始される時点で、車載装置１００を含む車載システム１の各拡張用モジュール又は要素には、電源が供給され、動作が可能な状況になっているものとする。
【００５５】
最初に、制御部１０１は、ＲＯＭ１０３に構築されているモジュール管理データを用いて、現在、どのような拡張用モジュールが挿入されているかの確認を行う（Ｓ２０）。
【００５６】
次に、制御部１０１は、第７拡張用モジュール８００（ＵＳＢ  Ｉ／Ｆモジュール）がスロットに挿入され、ＵＳＢメモリ（不図示）が第７拡張用モジュール８００のＵＳＢスロット８０４に挿入されているかの判断を行う（Ｓ２１）。ＵＳＢメモリが第７拡張用モジュール８００のＵＳＢスロット８０４に挿入されているか否かは、第７拡張用モジュール８００のマイコン８０２からの制御信号を制御部１０１側で解析することにより行う。
【００５７】
Ｓ２１において、ＵＳＢメモリが第７拡張用モジュール８００に挿入されていると判断された場合、制御部１０１は、次に、転送すべき補助データのデータ量を検出する（Ｓ２２）。
【００５８】
次に、制御部１０１は、ローカルストレージ９１の記録可能な容量を検出し（Ｓ２３）、第１拡張用モジュール２００の拡張モジュール２０２の記録可能な容量を検出する（Ｓ２４）。
【００５９】
次に、制御部１０１は、Ｓ２２で検出した補助データが予め定められたデータ量より大きいか否かの判断を行う（Ｓ２５）。予め定められたデータ量とは、通常であればローカルストレージ９１に記録不可能又は困難と予想できる量に設定することができる。
【００６０】
Ｓ２５において、Ｓ２２で検出した補助データが予め定められたデータ量より大きいと判断された場合には、次に、Ｓ２２で検出したデータ量を記録できるだけの記録容量が拡張ストレージ２０２に残っているか否かの判断を行う（Ｓ２６）。
【００６１】
Ｓ２６において、Ｓ２２で検出したデータ量を記録できるだけの記録容量が拡張ストレージ２０２に残っていると判断された場合には、ＵＳＢメモリ内の補助データを拡張ストレージ２０２へ転送して記録し（Ｓ２７）、ＢＤ−Ｌｉｖｅに対応したＢｌｕ−ｒａｙディスクのコンテンツの再生を行う（Ｓ３１）。
【００６２】
Ｓ２５において、Ｓ２２で検出した補助データが予め定められたデータ量以下と判断された場合には、次に、Ｓ２２で検出したデータ量を記録できるだけの記録容量がローカルストレージ９１に残っているか否かの判断を行う（Ｓ２８）。
【００６３】
Ｓ２８において、Ｓ２２で検出したデータ量を記録できるだけの記録容量がローカルストレージ９１に残っていると判断された場合には、ＵＳＢメモリ内の補助データをローカルストレージ９１へ転送して記録し（Ｓ２９）、ＢＤ−Ｌｉｖｅに対応したＢｌｕ−ｒａｙディスクのコンテンツの再生を行う（Ｓ３１）。なお、ローカルストレージ９１の方が、通常Ｂｌｕ−ｒａｙディスク再生用ドライブ９０でのデータ利用に適しているので、できるだけローカルストレージ９１に補助データを記録することが好ましい。
【００６４】
Ｓ２８において、Ｓ２２で検出したデータ量を記録できるだけの記録容量がローカルストレージ９１に残っていないと判断された場合には、再度Ｓ２６の判断を行う。
【００６５】
Ｓ２１において、第７拡張用モジュール８００がスロットに挿入されていない場合、ＵＳＢメモリが第７拡張用モジュール８００に挿入されていない場合等、又はＳ２６において、拡張ストレージ２０２に補助データを記録するだけの記録容量が残っていない場合には、警告動作を行って(Ｓ３０)、ＢＤ−Ｌｉｖｅに対応しない、通常のＢｌｕ−ｒａｙディスクのコンテンツの再生を行う（Ｓ３１）。
【００６６】
警告動作とは、図５に示す処理フローの場合と同様に、ＢＤ−Ｌｉｖｅに対応しない、通常のＢｌｕ−ｒａｙディスクのコンテンツの再生を行う旨を表示部１０及び／又はスピーカ８０に表示及び／又は音声出力することを言う。なお、図５に示す処理フローの場合と同様に、ＢＤ−Ｌｉｖｅを行うために、警告動作として、第７拡張用モジュール８００をスロットに挿入する事、第７拡張用モジュール８００に所定のデータが記録されたＵＳＢメモリを挿入する事等を促す表示及び／又は音声出力を行うようにしても良い。
【００６７】
このように、図６に示す処理フローでは、所定の補助データを記録したＵＳＢメモリ及び第７拡張用モジュール８００を利用して、ＢＤ−Ｌｉｖｅに対応したＢｌｕ−ｒａｙディスクのコンテンツの再生を行うことが可能となった。さらに、図６に示す処理フローでは、第１拡張用モジュール２００の拡張ストレージ２０２を用いて、更に大容量の、又は多くの補助データを記録することができるので、多種、多様なＢｌｕ−ｒａｙディスクのコンテンツの再生を行うことが可能となった。
【００６８】
図７は、第２拡張用モジュール３００が第１スロット１３０又は第２スロット１４０の何れかに挿入されている場合における、車載システムの処理フローの一例を示した図である。
【００６９】
図７に示す処理フローは、主に制御部１０１がＲＯＭ１０３に予め記録されたプログラムに従って、車載システム１に含まれる各拡張用モジュール及び／又は要素を協働して実行する。また、図５に示す処理フローが開始される時点で、車載装置１００を含む車載システム１の各拡張用モジュール又は要素には、電源が供給され、動作が可能な状況になっているものとする。
【００７０】
最初に、制御部１０１は、ＲＯＭ１０３に構築されているモジュール管理データを用いて、現在、どのような拡張用モジュールが挿入されているかの確認を行う（Ｓ４０）。
【００７１】
次に、制御部１０１は、第２拡張用モジュールの送受信モジュール３０２を用いて、インターネット上のＢＤ−Ｌｉｖｅに対応したＷＥＢサイトにアクセスし（Ｓ４１）、所定の通信手順を行って、再生するＢｌｕ−ｒａｙディスクのコンテンツに対応した補助データをダウンロードできるように設定する。
【００７２】
次に、制御部１０１は、ＷＥＢサイトからダウンロードすべき補助データのデータ量を検出し（Ｓ４２）、ローカルストレージ９１の記録可能な容量を検出し（Ｓ４３）、第２拡張用モジュール３００の拡張モジュール３０４の記録可能な容量を検出する（Ｓ４４）。
【００７３】
次に、制御部１０１は、Ｓ４２で検出した補助データが予め定められたデータ量より大きいか否かの判断を行う（Ｓ４５）。予め定められたデータ量とは、通常であればローカルストレージ９１に記録不可能又は困難と予想できる量に設定することができる。
【００７４】
Ｓ４５において、Ｓ４２で検出した補助データが予め定められたデータ量より大きいと判断された場合には、次に、Ｓ４２で検出したデータ量を記録できるだけの記録容量が拡張ストレージ３０４に残っているか否かの判断を行う（Ｓ４６）。
【００７５】
Ｓ４６において、Ｓ４２で検出したデータ量を記録できるだけの記録容量が拡張ストレージ３０４に残っていると判断された場合には、ＷＥＢサイトから再生するＢｌｕ−ｒａｙディスクのコンテンツに対応した補助データのダウンロードを開始し、ダウンロードデータを拡張ストレージ３０４に記録して（Ｓ４７）、ＢＤ−Ｌｉｖｅに対応したＢｌｕ−ｒａｙディスクのコンテンツの再生を行う（Ｓ５１）。
【００７６】
Ｓ４５において、Ｓ４２で検出した補助データが予め定められたデータ量以下と判断された場合には、次に、Ｓ４２で検出したデータ量を記録できるだけの記録容量がローカルストレージ９１に残っているか否かの判断を行う（Ｓ４８）。
【００７７】
Ｓ４８において、Ｓ４２で検出したデータ量を記録できるだけの記録容量がローカルストレージ９１に残っていると判断された場合には、ＷＥＢサイトから再生するＢｌｕ−ｒａｙディスクに対応した補助データのダウンロードを開始し、ダウンロードデータをローカルストレージ９１へ記録して（Ｓ４９）、ＢＤ−Ｌｉｖｅに対応したＢｌｕ−ｒａｙディスクのコンテンツの再生を行う（Ｓ５１）。なお、ローカルストレージ９１の方が、通常Ｂｌｕ−ｒａｙディスク再生用ドライブ９０でのデータ利用に適しているので、できるだけローカルストレージ９１にデータを記録する方が好ましい。
【００７８】
Ｓ４８において、Ｓ４２で検出したデータ量を記録できるだけの記録容量がローカルストレージ９１に残っていないと判断された場合には、再度Ｓ４６の判断を行う。
【００７９】
Ｓ４６において、拡張ストレージ３０４にＳ４２で検出したデータ量を記録するだけの記録容量が残っていない場合には、警告動作を行って(Ｓ５０)、ＢＤ−Ｌｉｖｅに対応しない、通常のＢｌｕ−ｒａｙディスクのコンテンツの再生を行う（Ｓ５１）。
【００８０】
警告動作とは、ＢＤ−Ｌｉｖｅに対応しない、通常のＢｌｕ−ｒａｙディスクのコンテンツの再生を行う旨を表示部１０及び／又はスピーカ８０に表示及び／又は音声出力することを言う。なお、ＢＤ−Ｌｉｖｅを行うために、警告動作として、拡張ストレージ３０４又はローカルストレージ９１の既存の補助データを消去して、今回再生するＢｌｕ−ｒａｙディスクのための補助データの記録容量を確保することを促す表示を行うようにしても良い。
【００８１】
このように、図７に示す処理フローでは、第２拡張用モジュール３００を利用してＢＤ−Ｌｉｖｅに対応したＢｌｕ−ｒａｙディスクのコンテンツの再生を行うことが可能となった。さらに、図７に示す処理フローでは、第２拡張用モジュール３００の拡張ストレージ３０４を用いて、更に大容量の、又は多くの補助データを記録することができるので、多種、多様なＢｌｕ−ｒａｙディスクのコンテンツの再生を行うことが可能となった。
【００８２】
図８は、第３拡張用モジュール４００が第１スロット１３０又は第２スロット１４０の何れかに挿入されている場合における、車載システムの処理フローの一例を示した図である。
【００８３】
図８に示す処理フローは、主に制御部１０１がＲＯＭ１０３に予め記録されたプログラムに従って、車載システム１に含まれる各拡張用モジュール及び／又は要素を協働して実行する。また、図８に示す処理フローが開始される時点で、車載装置１００を含む車載システム１の各拡張用モジュール又は要素には、電源が供給され、動作が可能な状況になっているものとする。
【００８４】
最初に、制御部１０１は、ＲＯＭ１０３に構築されているモジュール管理データを用いて、現在、どのような拡張用モジュールが挿入されているかの確認を行う（Ｓ６０）。
【００８５】
次に、制御部１０１は、第３拡張用モジュールの送受信モジュール４０２を用いて、インターネット上のＢＤ−Ｌｉｖｅに対応したＷＥＢサイトにアクセスし（Ｓ６１）、所定の通信手順を行って、再生するＢｌｕ−ｒａｙディスクに対応した補助データをダウンロードできるように設定する。
【００８６】
次に、制御部１０１は、ＷＥＢサイトからダウンロードすべき補助データのデータ量を検出し（Ｓ６２）、ローカルストレージ９１の記録可能な容量を検出する（Ｓ６３）。
【００８７】
次に、制御部１０１は、ＷＥＢサイトからダウンロードすべき補助データを記録できるだけの容量がローカルストレージに残っているか否かの判断を行う（Ｓ６４）。
【００８８】
Ｓ６４において、ローカルストレージに転送すべき補助データを記録可能な容量が残っている場合には、ＷＥＢサイトからダウンロードを開始し、ローカルストレージ９１へ記録して（Ｓ６５）、ＢＤ−Ｌｉｖｅに対応したＢｌｕ−ｒａｙディスクのコンテンツの再生を行う（Ｓ６６）。
【００８９】
Ｓ６４において、ローカルストレージ９１に補助データを記録するだけの記録容量が残っていない場合には、警告動作を行って(Ｓ６７)、ＢＤ−Ｌｉｖｅに対応しない、通常のＢｌｕ−ｒａｙディスクのコンテンツの再生を行う（Ｓ６６）。
【００９０】
警告動作とは、ＢＤ−Ｌｉｖｅに対応しない、通常のＢｌｕ−ｒａｙディスクのコンテンツの再生を行う旨を表示部１０及び／又はスピーカ８０に表示及び／又は音声出力することを言う。なお、ＢＤ−Ｌｉｖｅを行うために、警告動作として、拡張ストレージを有する拡張用モジュールの挿入を促す表示を行うようにしても良い。
【００９１】
このように、図８に示す処理フローでは、第３拡張用モジュール４００を利用してＢＤ−Ｌｉｖｅに対応したＢｌｕ−ｒａｙディスクのコンテンツの再生を行うことが可能となった。
【００９２】
なお、図５〜図８に示す例では、初めて車載装置１００において再生するＢｌｕ−ｒａｙディスクに関する処理フローであるが、既に再生したことがある場合、即ち、再生するＢｌｕ−ｒａｙディスクのコンテンツに対応したＢＤ−Ｌｉｖｅ用の補助データがローカルストレージ９１又は拡張ストレージ２０２又は３０４に記録されている場合には、記録された補助データを使うようにすれば良い。
【００９３】
図９は、Ｂｌｕ−ｒａｙディスクの再生時における拡張用モジュールの排出動作に関する処理フローの一例を示す図である。
【００９４】
図９に示す処理フローは、主に制御部１０１がＲＯＭ１０３に予め記録されたプログラムに従って、車載システム１に含まれる各拡張用モジュール及び／又は要素を協働して実行する。また、図９に示す処理フローが開始される時点で、車載装置１００を含む車載システム１の各拡張用モジュール又は要素には、電源が供給され、動作が可能な状況になっているものとする。
【００９５】
最初に、制御部１０１は、第１排出ボタン１３１又は第２排出ボタン１４が押圧されたか否かの検出を行う（Ｓ７０）。
【００９６】
次に、制御部１０１は、排出ボタンが押圧されたスロットに挿入されている拡張用モジュールが、Ｂｌｕ−ｒａｙディスクのコンテンツの再生に利用されているか否かの判断を行う（Ｓ７１）。具体的には、制御部１０１は、排出予定の拡張用モジュールが第１拡張用モジュール２００又は第２拡張用モジュール３００であって、それらの拡張モジュール２０２又は３０４に記録されている補助データがＢＤ−Ｌｉｖｅ用のデータであるか否かの判断を行う。
【００９７】
Ｓ７１において、排出ボタンが押圧されたスロットに挿入されている拡張用モジュールが、Ｂｌｕ−ｒａｙディスクのコンテンツの再生に利用されていると判断された場合には、制御部１０１は、現在利用されている補助データのデータ量を検出し（Ｓ７２）、ローカルストレージ９１の記録容量の残量を検出する（Ｓ７３）。
【００９８】
次に、制御部１０１は、ローカルストレージ９１の記録容量の残量がＳ７２で検出されたデータ量を記録するのに十分な容量を有しているか否かの判断を行う（Ｓ７４）。
【００９９】
Ｓ７４において、十分な記録容量がある場合には、Ｓ７２で検出された補助データを、排出予定の拡張用モジュールの拡張ストレージからローカルストレージ９１に転送して記録し（Ｓ７５）、記録動作の完了後に、拡張用モジュールの排出動作を行う（Ｓ７６）。
【０１００】
Ｓ７４において、十分な記録容量が無い場合には、警告動作を行う（Ｓ７７）。Ｓ７７における警告動作は、利用されている補助データのローカルストレージ９１への転送によって、他の補助データが消去される旨の表示であって、ユーザに補助データの消去を実行して良いか否かの確認を促すものであって、例えば、表示部１０に、消去可能な場合には所定の操作を行うように促す表示であることが好ましい。
【０１０１】
次に、制御部１０１は、Ｓ７７の警告動作に対応したユーザの操作によって、ローカルストレージ９１の補助データを消去して良いか否かの判断を行い（Ｓ７８）、消去可能な場合には、Ｓ７５及びＳ７６を順次実行する。また、Ｓ７８において、消去不可と判断した場合には、制御部１０１は、排出ボタンが押圧された拡張用モジュールの排出を行わず、そのまま一連の動作を終了する。
【０１０２】
図９の処理フローに従えば、Ｂｌｕ−ｒａｙディスクのコンテンツの再生時に、ＢＤ−Ｌｉｖｅ用の補助データが記録されている拡張用モジュールを排出する指示がユーザによってなされても、直ぐには拡張用モジュールの排出を行わず、できる限り利用データを保持するようにしたので、ＢＤ−Ｌｉｖｅを不用意に終了させてしまう事態を防止することが可能となった。
【図面の簡単な説明】
【０１０３】
【図１】本発明に係る車載システムの概略構成を示す図である。
【図２】他の拡張用モジュールの概略構成を図である。
【図３】車載装置１００の外観の一例を示す図である。
【図４】スロットとモジュールの関係を示す図である。
【図５】Ｂｌｕ−ｒａｙディスク関連の拡張用モジュールがスロットに挿入されていない場合における、車載システムの処理フローの一例を示した図である。
【図６】第１拡張用モジュールがスロットに挿入されている場合における、車載システムの処理フローの一例を示した図である。
【図７】第２拡張用モジュールがスロットに挿入されている場合における、車載システムの処理フローの一例を示した図である。
【図８】第３拡張用モジュールがスロットに挿入されている場合における、車載システムの処理フローの一例を示した図である。
【図９】Ｂｌｕ−ｒａｙディスクのコンテンツの再生時におけるモジュールの排出動作に関する処理フローの一例を示す図である。
【符号の説明】
【０１０４】
１    車載システム
１０    表示部
１００    車載装置
１０１    制御部
１３０    第１スロット
１４０    第２スロット
２００    第１拡張用モジュール
２０１    第１コネクタ
２０２    拡張ストレージ
２０３    第１ＭＩＤ出力回路
３００    第２拡張用モジュール
３０１    第２コネクタ
３０２    送受信モジュール
３０３    平面アンテナ
３０４    拡張ストレージ
３０５    第２ＭＩＤ出力回路
４００    第３拡張用モジュール
４０１    第３コネクタ
４０２    送受信モジュール
４０３    平面アンテナ
４０４    第３ＭＩＤ出力回路
【図１】
2010036628.tif 000003
【図２】
2010036628.tif 000004
【図３】
2010036628.tif 000005
【図４】
2010036628.tif 000006
【図５】
2010036628.tif 000007
【図６】
2010036628.tif 000008
【図７】
2010036628.tif 000009
【図８】
2010036628.tif 000010
【図９】
2010036628.tif 000011